(57)【要約】【課題】表示輝度が落ちず、曲がり配列が維持されるＯＣＢ液晶表示装置及びその駆動方法を提供する。【解決手段】ＯＣＢ液晶表示装置に関するものであって、画像を表示する正規データ電圧の間にインパルシブデータ電圧を印加するインパルシブ駆動を行う際に、インパルシブデータ電圧を、第１インパルシブデータ電圧と、ＯＣＢ液晶のベンド配向が維持される電圧値を有する第２インパルシブデータ電圧とに分けて、正規データ電圧の間に第１インパルシブデータ電圧を印加する場合を“第１インパルシブ駆動”とし、正規データ電圧の間に第２インパルシブデータ電圧を印加する場合を“第２インパルシブ駆動”とする場合、２以上の第１インパルシブ駆動ごとに第２インパルシブ駆動が行なわれるようにしてベンド配向が維持されるようにし、液晶表示装置の輝度を向上する。【選択図】図５
2007034294.tif 000002
【特許請求の範囲】
【請求項１】
互いに対向する第１電極及び第２電極と、
前記第１電極と前記第２電極との間に位置しており、ベンド配向された液晶層と、
を含み、
外部映像情報に対応する輝度を示す正規データ電圧と、少なくとも１つの階調に対して前記正規データ電圧より低い輝度を示すインパルシブデータ電圧とを、前記第１電極に周期的に交互に印加し、
前記インパルシブデータ電圧は、前記外部映像情報によって値が変わる第１インパルシブデータ電圧と、前記ベンド配向を維持する電圧値を有する第２インパルシブデータ電圧とを含み、
前記第１インパルシブ電圧の印加回数は前記第２インパルシブ電圧の印加回数の２倍以上であることを特徴とする、液晶表示装置。
【請求項２】
前記第２インパルシブデータ電圧を印加する周期は、前記第１インパルシブデータ電圧を印加する周期の２倍以上であることを特徴とする、請求項１に記載の液晶表示装置。
【請求項３】
前記第２インパルシブデータ電圧を印加する周期は５００ｍｓ以下であることを特徴とする、請求項１に記載の液晶表示装置。
【請求項４】
前記第２インパルシブデータ電圧を印加する周期は２フレーム以上３０フレーム以下であることを特徴とする、請求項３に記載の液晶表示装置。
【請求項５】
前記第２インパルシブデータ電圧はブラックを表示するデータであることを特徴とする、請求項１に記載の液晶表示装置。
【請求項６】
前記第１インパルシブデータのうち、一定の階調以下の前記第１インパルシブデータはブラックを表示するデータであることを特徴とする、請求項１に記載の液晶表示装置。
【請求項７】
前記第１インパルシブデータのうち、最高階調での前記第１インパルシブデータはホワイトを表示するデータであることを特徴とする、請求項６に記載の液晶表示装置。
【請求項８】
前記液晶表示装置はノーマリホワイトであることを特徴とする、請求項１に記載の液晶表示装置。
【請求項９】
前記正規データ電圧と前記インパルシブデータ電圧が維持される時間比をデューティ比とする場合、前記デューティ比は１：１〜４：１であることを特徴とする、請求項１に記載の液晶表示装置。
【請求項１０】
前記液晶表示装置は行列形態で配置された複数の画素を有し、
前記正規映像データを前記複数の画素全部に印加した後、前記第１または第２インパルシブデータ電圧を前記複数の画素全部に印加することを特徴とする、請求項１に記載の液晶表示装置。
【請求項１１】
前記液晶表示装置は行列形態で配置された複数の画素を有し、
前記正規映像データを前記複数の画素のうちの一部に印加し、前記第１または第２インパルシブデータ電圧を前記複数の画素の残りに印加することを特徴とする、請求項１に記載の液晶表示装置。
【請求項１２】
前記液晶表示装置の外側には各々偏光板が取り付けられていることを特徴とする、請求項１に記載の液晶表示装置。
【請求項１３】
前記偏光板の透過軸は互いに垂直であることを特徴とする、請求項１２に記載の液晶表示装置。
【請求項１４】
前記偏光板の内側には補償フィルムが取り付けられていることを特徴とする、請求項１２に記載の液晶表示装置。
【請求項１５】
前記補償フィルムとして、Ｃプレート補償フィルムまたは二軸性補償フィルムを使用することを特徴とする、請求項１４に記載の液晶表示装置。
【発明の詳細な説明】
【技術分野】
【０００１】
本発明は、液晶表示装置に関するものである。
【背景技術】
【０００２】
液晶表示装置は、現在最も広く使用されている平板表示装置の１つであって、電極が形成されている２枚のガラス基板とその間に挿入されている液晶層とを備えており、２つの電極に印加する電圧を変化させて液晶層の液晶分子の配列を変化させることにより光の透過量を調節し、画面を表示する装置である。
このような液晶表示装置において、応答速度及び視野角を改善するために多様な方法が提示されており、その例としてＯＣＢ（optically  compensated  bend）方式の液晶表示装置が挙げられる。
【０００３】
ＯＣＢ方式の液晶表示装置は、対向する両基板に各々形成されている電極と、基板の間に注入されている液晶層と、両基板に各々形成されており、液晶分子を基板と水平に配向するための配向膜とを含む。このようなＯＣＢ方式の液晶表示装置では、両基板に電場が印加された場合、液晶分子が、両基板に近いほど水平方向になり、両基板間の距離の1/2の点を通る中心面に近いほど垂直方向になるように配向し、この中心面に対して配向方向が対称となるように弓形に配列する構造である。このような液晶分子の配列を得るためには、両基板の配向膜を同じ方向に処理し、最初に高電圧を印加してベンド配向を行う。このようなＯＣＢ方式の液晶表示装置では、広い視野角を得ることができる。
【発明の開示】
【発明が解決しようとする課題】
【０００４】
ＯＣＢ液晶表示装置では、電圧が一定の電圧以下に落ちる場合に液晶のベンド（bend）配向が損なわれる問題点がある。
このような液晶のベンド配向を維持するために、液晶表示装置の画素に印加する電圧を、一定の大きさ以上の電圧のみを印加する方法を使用する。しかし、このような方法は、液晶のベンド配向は維持されるが、液晶表示装置に表示できる輝度が低くなるという問題点がある。
【０００５】
本発明が目的とする技術的課題は、表示輝度が落ちず、ベンド配向が維持されるＯＣＢ液晶表示装置及びその駆動方法を提供することにある。
【課題を解決するための手段】
【０００６】
具体的に、本発明による液晶表示装置は、互いに対向する第１電極及び第２電極、そして前記第１電極と前記第２電極との間に位置しており、ベンド配向された液晶層を含み、外部映像情報に対応する輝度を示す正規データ電圧と、少なくとも１つの階調に対して前記正規データ電圧より低い輝度を示すインパルシブデータ電圧とを前記第１電極に周期的に交互に印加し、前記インパルシブデータ電圧は、前記外部映像情報によって値が変わる第１インパルシブデータ電圧と、前記曲がり配列を維持する電圧値を有する第２インパルシブデータ電圧とを含み、前記第１インパルシブ電圧の印加回数は前記第２インパルシブ電圧の印加回数の２倍以上であることを特徴とする。
【０００７】
前記第２インパルシブデータ電圧を印加する周期は、前記第１インパルシブデータ電圧を印加する周期の２倍以上にすることができる。
前記第２インパルシブデータ電圧を印加する周期は５００ｍｓ以下にすることができる。
前記第２インパルシブデータ電圧を印加する周期は、２フレーム以上３０フレーム以下にすることができる。
【０００８】
前記第２インパルシブデータ電圧はブラックを表示するデータにすることができる。
前記第１インパルシブデータのうち、一定の階調以下の前記第１インパルシブデータはブラックを表示するデータにすることができる。
前記第１インパルシブデータのうち、最高階調での前記第１インパルシブデータは、ホワイトを表示するデータにすることができる。
【０００９】
前記液晶表示装置はノーマリホワイトであるように構成できる。
前記正規データ電圧と前記インパルシブデータ電圧が維持される時間比をデューティ比とすれば、前記デューティ比は１：１〜４：１とすることができる。
前記液晶表示装置は行列形態に配置された複数の画素を有し、前記正規映像データを前記複数の画素全部に印加した後、前記第１または第２インパルシブデータ電圧を前記複数の画素全部に印加するように構成できる。
【００１０】
前記液晶表示装置は行列形態に配置された複数の画素を有し、前記正規映像データを前記複数の画素のうちの一部に印加し、前記第１または第２インパルシブデータ電圧を前記複数の画素の残りに印加するように構成できる。
前記液晶表示装置の外側にそれぞれ偏光板を取り付けた構成とすることができる。
前記偏光板の透過軸を互いに垂直にすることができる。
【００１１】
前記偏光板の内側には補償フィルムを取り付けた構成とすることができる。
前記補償フィルムとして、Ｃプレート補償フィルムまたは二軸性補償フィルムを用いることができる。
【発明の効果】
【００１２】
液晶表示装置を駆動する際に、画像を表示する正規データ電圧の間にインパルシブデータ電圧を印加するインパルシブ駆動を行う場合に、インパルシブデータ電圧を、第１インパルシブデータ電圧とＯＣＢ液晶のベンド配向が維持される電圧値を有する第２インパルシブデータ電圧とに分けて印加する。このとき、正規データ電圧の間に第１インパルシブデータ電圧を印加する場合を“第１インパルシブ駆動”とし、正規データ電圧の間に第２インパルシブデータ電圧を印加する場合を“第２インパルシブ駆動”とし、２以上の第１インパルシブ駆動ごとに第２インパルシブ駆動が行なわれるようにしてベンド配向が維持されるようにし、液晶表示装置の輝度を向上させる。
【発明を実施するための最良の形態】
【００１３】
このような課題を解決するために、本発明に係る液晶表示装置では、画像を表示する正規データ電圧の間にインパルシブデータ電圧を印加するインパルシブ駆動を行い、このインパルシブデータ電圧を、第１インパルシブデータ電圧とＯＣＢ液晶のベンド配向が維持される電圧値を有する第２インパルシブデータ電圧とに分けて印加する。正規データ電圧の間に第１インパルシブデータ電圧を印加する場合を“第１インパルシブ駆動”とし、正規データ電圧の間に第２インパルシブデータ電圧を印加する場合を“第２インパルシブ駆動”とし、２以上の第１インパルシブ駆動ごとに第２インパルシブ駆動が行われるようにする。ここで、第２インパルシブ駆動が行なわれる周期は、２フレーム以上３０フレーム以下である。
【００１４】
添付した図面を参照して、本発明の実施例について本発明の属する技術分野における通常の知識を有する者が容易に実施できるように詳細に説明する。しかし、本発明は多様な相違した形態で実現でき、ここで説明する実施例に限定されない。
図面においては、いろいろな層及び領域を明確に表現するために厚さを拡大して示した。明細書全体を通じて類似する部分については同一図面符号を付けた。層、膜、領域、板などの部分が他の部分の“上にある”とする場合、これは他の部分の直上にある場合だけでなく、その中間に他の部分がある場合も含む。反対に、ある部分が他の部分の“直上にある”とする場合には中間に他の部分がないことを意味する。
【００１５】
まず、本発明の１実施例による液晶表示装置について、図１及び図２を参照して詳細に説明する。
図１は、本発明の１実施例による液晶表示装置のブロック図であり、図２は、本発明の１実施例による液晶表示装置の１つの画素に対する等価回路図である。
図１に示したように、本発明の１実施例による液晶表示装置は、液晶表示板組立体３００及びこれに接続されたゲート駆動部４００と、データ駆動部５００、データ駆動部５００に接続された階調電圧生成部８００、そしてこれらを制御する信号制御部６００を含む。
【００１６】
液晶表示板組立体３００は、等価回路で見れば、複数の表示信号線（Ｇ1−Ｇn、Ｄ1−Ｄm）と、これに接続されており、ほぼ行列形態に配列された複数の画素（ＰＸ）とを含む。また、図２に示した構造で見れば、液晶表示板組立体３００は、互いに対向する下部及び上部表示板１００、２００と、その間に入っている液晶層３とを含む。ここで、液晶層３は、図３のように、下部表示板１００及び上部表示板２００の間の1/2の距離である中心点を通る中心面に対して対称であり、弓形に湾曲するベンド配向を有するＯＣＢ（optically  compensated  bend）液晶を含む。
【００１７】
信号線（Ｇ1−Ｇn、Ｄ1−Ｄm）は、ゲート信号（“走査信号”とも言う）を伝達する複数のゲート線（Ｇ1−Ｇn）と、データ信号を伝達する複数のデータ線（Ｄ1−Ｄm）とを含む。ゲート線（Ｇ1−Ｇn）は、ほぼ行方向に延長されて互いにほぼ平行であり、データ線（Ｄ1−Ｄm）は、ほぼ列方向に延長されて互いにほぼ平行である。
各画素（ＰＸ）、例えば、ｉ番目（ｉ＝１,２,…,ｎ）ゲート線（Ｇi）とｊ番目（ｊ＝１,２,…,ｍ）データ線（Ｄj）に接続された画素（ＰＸ）は、信号線（Ｇi、Ｄj）に接続されたスイッチング素子（Ｑ）とこれに接続された液晶キャパシタ（ＣLC）及びストレージキャパシタ（ＣST）を含む。ストレージキャパシタ（ＣST）は必要に応じて省略できる。
【００１８】
スイッチング素子（Ｑ）は、下部表示板１００に設けられている薄膜トランジスタなどの３端子素子であって、その制御端子はゲート線（Ｇ1−Ｇn）に接続されており、入力端子はデータ線（Ｄ1−Ｄm）に接続されており、出力端子は液晶キャパシタ（Ｃlc）及びストレージキャパシタ（Ｃst）に接続されている。
液晶キャパシタ（Ｃlc）は、下部表示板１００の画素電極１９１と上部表示板２００の共通電極２７０を２つの端子とし、２つの電極１９１、２７０の間の液晶層３は誘電体として機能する。画素電極１９１はスイッチング素子（Ｑ）に接続され、共通電極２７０は上部表示板２００の前面に形成されており、共通電圧Ｖｃｏｍの印加を受ける。図２に示す例とは異なり、共通電極２７０を下部表示板１００に設けることができ、この時には、２つの電極１９１、２７０のうちの少なくとも１つが線状または棒状に形成することができる。
【００１９】
液晶キャパシタ（Ｃlc）の補助的な役割を果たすストレージキャパシタ（Ｃst）は、下部表示板１００に設けられた別個の信号線（示せず）と画素電極１９１が絶縁体を隔てて重なり合うことにより形成されるものである。この下部表示板１００に設けられる別個の信号線には、共通電圧Ｖｃｏｍなどの決められた電圧が印加される。ストレージキャパシタ（Ｃst）は、画素電極１９１が絶縁体を隔てて真上の前段ゲート線と重なり合うことにより形成することも可能である。
【００２０】
一方、色表示を実現するためには、各画素（ＰＸ）が基本色のうちの１つを固有に表示するように構成でき（空間分割）、各画素（ＰＸ）が時間に伴って交互に基本色を表示するように構成する（時間分割）こともでき、各画素が表示する基本色の空間的、時間的合計により所望の色相が認識されるように制御する。基本色の例としては、赤色、緑色、青色などの３原色がある。図２は空間分割の一例であって、各画素（ＰＸ）が画素電極１９１に対応する上部表示板２００の領域に、基本色のうちの１つを示す色フィルター２３０を備えることを示している。図２に示す例とは異なり、色フィルター２３０は、下部表示板１００の画素電極１９１の上または下に形成することもできる。
【００２１】
液晶表示装置はまた、表示板１００、２００及び液晶層３に光を供給する照明部（示せず）を含むように構成できる。
表示板１００、２００の外側面には偏光子（polarizer）１２、２２が設けられているが、２つの偏光子１２、２２の透過軸は直交するのが好ましい。
偏光子１２と表示板１００との間、偏光子２２と表示板２００との間にはそれぞれ補償フィルム１３、２３を付着することができ、補償フィルム１３、２３としてはＣプレート補償フィルムまたは二軸性補償フィルムなどを使用することができる。
【００２２】
液晶層３は、誘電率異方性が陽であるネマチック液晶を含み、ＯＣＢ方式で配向されて図３のようにベンド配向を形成している。本実施例によるＯＣＢ液晶表示装置は、ノーマリーホワイト、つまり、電圧を印加していない状態で最も明るい輝度、つまり、ホワイトを表示する。
再び図１を参照すれば、階調電圧生成部８００は、画素（ＰＸ）の透過率と関連した１つまたは２つの階調電圧集合を生成する。後者の場合、２つの階調電圧集合は互いに異なるガンマ曲線に基づいて生成され、これについては、図６を参照して後で詳細に説明する。
【００２３】
ゲート駆動部４００は、液晶表示板組立体３００のゲート線（Ｇ1−Ｇn）に接続されて、ゲートオン電圧（Ｖｏｎ）とゲートオフ電圧（Ｖｏｆｆ）の組み合わせによってなるゲート信号をゲート線（Ｇ1−Ｇn）に印加する。
データ駆動部５００は、液晶表示板組立体３００のデータ線（Ｄ1−Ｄm）に接続されており、階調電圧生成部８００からの階調電圧を選択し、これをデータ信号としてデータ線（Ｄ1−Ｄm）に印加する。階調電圧生成部８００が全ての階調に対する電圧を提供する必要はなく、所定数の基準階調電圧のみを提供するように構成し、データ駆動部５００が、階調電圧生成部８００から提供される基準階調電圧を分圧して階調全体に対する階調電圧を生成し、この中でデータ信号を選択するように構成できる。
【００２４】
信号制御部６００は、ゲート駆動部４００及びデータ駆動部５００などを制御する。
このような駆動装置４００、５００、６００、８００は、それぞれ少なくとも１つの集積回路チップの形態で液晶表示板組立体３００上に集積されて実装することができ、可撓性印刷回路膜（示せず）上に装着されて、ＴＣＰ（tape  carrier  package）の形態で液晶表示板組立体３００に実装することもでき、別途の印刷回路基板（示せず）上に実装することもできる。これとは異なって、これら駆動装置４００、５００、６００、８００を、信号線（Ｇ1−Ｇn、Ｄ1−Ｄm）及び薄膜トランジスタスイッチング素子（Ｑ）などと共に液晶表示板組立体３００に集積することもできる。また、駆動装置４００、５００、６００、８００は、単一チップに集積することができ、この場合、これらのうちの少なくとも１つまたはこれらを成す少なくとも１つの回路素子を単一チップの外側に設けることができる。
【００２５】
以下では、このような液晶表示装置の動作について、図４及び図５を参照して詳細に説明する。
図４は、本発明の１つの実施例による駆動によって液晶表示装置を駆動する際のデータによる階調対輝度グラフであり、図５は、本発明の１つの実施例による液晶表示装置においてデータ印加方式を示す図である。
【００２６】
信号制御部６００は、外部のグラフィック制御器（示せず）から入力映像信号（Ｒ、Ｇ、Ｂ）及びその表示を制御する入力制御信号を受信する。入力映像信号（Ｒ、Ｇ、Ｂ）は各画素（ＰＸ）の輝度情報を含んでおり、輝度は決められた数の階調を有しており、例えば、１０２４（＝２10）、２５６（＝２8）または６４（＝２6）個の階調を有している。入力制御信号の例としては、垂直同期信号Ｖｓｙｎｃと水平同期信号Ｈｓｙｎｃ、メインクロック（ＭＣＬＫ）、データイネーブル信号（ＤＥ）などがある。
【００２７】
信号制御部６００は、入力映像信号（Ｒ、Ｇ、Ｂ）と入力制御信号に基づいて、入力映像信号（Ｒ、Ｇ、Ｂ）を液晶表示板組立体３００及びデータ駆動部５００の動作条件に合うように適切に処理し、ゲート制御信号（ＣＯＮＴ１）及びデータ制御信号（ＣＯＮＴ２）などを生成した後、ゲート制御信号（ＣＯＮＴ１）をゲート駆動部４００に送信し、データ制御信号（ＣＯＮＴ２）と処理した映像信号（ＤＡＴ）はデータ駆動部５００に送信する。
【００２８】
ゲート制御信号（ＣＯＮＴ１）は、走査開始を指示する走査開始信号（ＳＴＶ）と、ゲートオン電圧（Ｖｏｎ）の出力周期を制御する少なくとも１つのクロック信号とを含む。ゲート制御信号（ＣＯＮＴ１）はまた、ゲートオン電圧（Ｖｏｎ）の持続時間を限定する出力イネーブル信号（ＯＥ）をさらに含むように構成できる。
データ制御信号（ＣＯＮＴ２）は、１つの行の画素（ＰＸ）に対する映像データの伝送開始を知らせる水平同期開始信号（ＳＴＨ）と、データ線（Ｄ1−Ｄm）にデータ信号の印加を指示するためのロード信号（ＬＯＡＤ）、及びデータクロック信号（ＨＣＬＫ）を含む。データ制御信号（ＣＯＮＴ２）はまた、共通電圧Ｖｃｏｍに対するデータ信号の電圧極性（以下、“共通電圧に対するデータ信号の電圧極性”を略して“データ信号の極性”とする）を反転した反転信号（ＲＶＳ）をさらに含むことができる。
【００２９】
図５に示すように、信号制御部６００がデータ駆動部５００に送信する映像信号（ＤＡＴ）は、正規映像データ（ｄ11−ｄnm）、第１インパルシブデータ（ｇ１）、及び第２インパルシブデータ（ｇ２）を含む。正規映像データ（ｄ11−ｄnm）と第１インパルシブデータ（ｇ１）の階調値は同一にすることができ、この時、階調電圧生成部８００は２つの階調電圧集合を生成する。しかし、所定の規則によって入力映像信号（Ｒ、Ｇ、Ｂ）を補正して第１インパルシブデータ（ｇ１）を生成することもでき、この時には、階調電圧生成部８００が１つの階調電圧集合のみを生成してこれを使用することができる。第２インパルシブデータ（ｇ２）は、決められた１つの階調、例えば、最も低い階調（以下、“ブラック階調”とする）である。しかし、第２インパルシブデータ（ｇ２）もまた、入力映像信号（Ｒ、Ｇ、Ｂ）に依存する値にすることができる。
【００３０】
ここで、曲線（ｉ）は正規映像データ（ｄ11−ｄnm）が示す輝度曲線（ガンマ曲線）であり、曲線（ｉｉ）は第１インパルシブデータ（ｇ１）が示す輝度曲線である。
ここで、曲線（ｉ）は液晶表示装置の特性によって決められ、曲線（ｉｉ）は、Ｆに表示した所定の階調（Ｇｍｉｎ）より小さい階調についてはブラックを示し、所定の階調（Ｇｍｉｎ）以上の階調については単調増加する輝度を示す。この時、単調増加する輝度は、液晶表示装置の特性を考慮して決めることができる。特に、曲線（ｉｉ）の最高階調（Ｇｍａｘ）での電圧値が、ＯＣＢ液晶のベンド配向が損なわれる電圧（以下、‘臨界電圧（Ｖｃ）’とする）より小さい値を有する。また、曲線（ｉｉ）の最高階調（Ｇｍａｘ）での電圧値が、最も高い輝度を表示する電圧値とすることができる。一方、第２インパルシブデータが対応する電圧は、臨界電圧（Ｖｃ）より大きい電圧値を有するのが好ましい。
【００３１】
図４の（ｉｉ）曲線において、Ｇ点は第１インパルシブデータ（ｇ１）で最高階調（Ｇｍａｘ）である地点を示し、この時の輝度はＬｍａｘである。Ｆ点は、輝度が０でない最低値（Ｌｍｉｎ）である地点を示し、この時の階調はＧｍｉｎである。Ｇ点の輝度（Ｌｍａｘ）とＦ点の階調（Ｇｍｉｎ）は、その値を変更することが可能である。
信号制御部６００からのデータ制御信号（ＣＯＮＴ２）に応じて、データ駆動部５００は正規映像データ（ｄ11−ｄnm）と第１インパルシブデータ（ｇ１）または第２インパルシブデータ（ｇ２）を受信し、これを、正規アナログデータ電圧及び第１または第２インパルシブアナログデータ電圧にそれぞれ変換する。階調電圧生成部８００が生成する階調電圧集合の数が２つである場合には、正規アナログデータ電圧は階調電圧生成部８００からの２つの階調電圧集合のうちの図６の（ｉ）曲線を充足するものから選択し、第１インパルシブアナログデータ電圧は（ｉｉ）曲線を充足するものから選択する。
【００３２】
次に、データ駆動部５００は、正規データ電圧、第１または第２インパルシブデータ電圧を相当するデータ線（Ｄ1−Ｄm）に印加する。
ゲート駆動部４００は、信号制御部６００からのゲート制御信号（ＣＯＮＴ１）に応じてゲートオン電圧（Ｖｏｎ）をゲート線（Ｇ1−Ｇn）に印加し、このゲート線（Ｇ1−Ｇn）に接続されたスイッチング素子（Ｑ）を導通させる。このことにより、データ線（Ｄ1−Ｄm）に印加されたデータ信号が導通したスイッチング素子（Ｑ）を通して当該画素（ＰＸ）に印加される。
【００３３】
画素（ＰＸ）に印加されたデータ信号の電圧と共通電圧Ｖｃｏｍとの差は液晶キャパシタ（Ｃlc）の充電電圧、つまり、画素電圧として現れる。液晶分子は画素電圧の大きさによってその配列を別にし、これによって液晶層３を通過する光の偏光が変化する。このような偏光の変化は、表示板組立体３００に取り付けられた偏光子１２、２２によって光の透過率の変化として現れる。
【００３４】
１水平周期（“１Ｈ”とも使い、水平同期信号（Ｈsync）及びデータイネーブル信号（ＤＥ）の１周期と同一である）を単位としてこのような過程を繰り返すことにより、全てのゲート線（Ｇ1−Ｇn）に対して順にゲートオン電圧（Ｖｏｎ）を印加して、全ての画素（ＰＸ）にデータ信号を印加して１つのフレームの映像を表示する。
図５に示したように、信号制御部６００は、正規映像データ（ｄ11−ｄnm）と第１インパルシブデータ（ｇ１）または第２インパルシブデータ（ｇ２）を交互に出力するが、第１インパルシブデータ（ｇ１）または第２インパルシブデータ（ｇ２）に対応する第１または第２インパルシブデータ電圧を画素（ＰＸ）に印加する方式は多様な方式があり得る。いくつかの例を見てみれば次の通りである。
【００３５】
まず、第１方式は、全ての画素に正規データ電圧を一回印加した後、再び全ての画素に第１または第２インパルシブデータ電圧を印加する。
第２方式は、全ての画素を画素行単位に区分して、一部の画素行には正規データ電圧を印加し、残りの画素行には第１または第２インパルシブデータ電圧を印加する。この時、残りの画素行に第１または第２インパルシブデータ電圧を印加する方法として２種類の方式考えられる。１つは１つの画素行ずつ順にインパルシブデータ電圧を印加する方式であり、他の１つは複数の画素行に一度にインパルシブデータ電圧を印加する方式である。
【００３６】
第３方式は、全ての画素のうちの一部の画素に正規データ電圧を印加し、その画素に再び第１または第２インパルシブデータ電圧を印加する。この時、第１または第２インパルシブデータ電圧は、画素行単位で順に印加することができ、全ての画素に一度に印加するように構成することもできる。
１つのフレームが終われば次のフレームが始まり、各画素（ＰＸ）に印加されるデータ信号の極性が直前フレームでの極性と反対になるように、データ駆動部５００に印加される反転信号（ＲＶＳ）の状態が制御される（“フレーム反転”）。この時、１つのフレーム内でも、反転信号（ＲＶＳ）の特性によって１つのデータ線を通して流れるデータ信号の極性を変えることができ（例えば、行反転、点反転）、１つの画素行に印加されるデータ信号の極性も互いに異なるように構成できる（例えば、列反転、点反転）。
【００３７】
以下では、図５に示すように、第１インパルシブデータ電圧と第２インパルシブデータ電圧の印加について詳細に説明する。そして、以下では、正規データ電圧の間に第１または第２インパルシブデータ電圧を印加する場合を“インパルシブ駆動”という。ここで、第１インパルシブデータ電圧を印加する場合を“第１インパルシブ駆動”とし、第２インパルシブデータ電圧を印加する場合を“第２インパルシブ駆動”とする。
【００３８】
図５は、第１インパルシブ駆動が３回繰り返され、その次に第２インパルシブ駆動が行われる実施例を示している。第２インパルシブ駆動が行われる周期は多様に設定することができ、２フレーム以上３０フレーム以下であるのが好ましい。第２インパルシブ駆動の周期が３０フレーム以下であるのが好ましい理由については後述する。
図６は、ＯＣＢ液晶表示装置において、正規データ電圧のみを印加した場合（点線曲線）と正規データ電圧の間に第１または第２インパルシブデータ電圧を印加した場合（実線曲線）の電圧による輝度を示した図である。
【００３９】
点線曲線のように正規データ電圧のみを印加する場合には、電圧が低くなるに伴って輝度が突然低くなる非正常領域（電圧値が０からＶｃまでである区間）が存在する。これは、輝度が低くなり始める地点での電圧、つまり、臨界電圧（Ｖｃ）以下で液晶のベンド配向が損なわれるためであると見なされる。
したがって、正規データ電圧のみを印加する場合には、輝度が電圧に応じて安定的に単調減少する特性を示す非正常領域以上の電圧範囲（Ａ区間）でのみ、例えば、２Ｖ以上の電圧範囲でのみ液晶表示装置の駆動が可能である。したがって、液晶表示装置が表示できる最高輝度（Ｂ１）が制限される。
【００４０】
しかし、実線曲線のようにインパルシブ駆動をする場合には、全範囲での電圧が低くなるに伴って輝度が単調減少する特性を示し、輝度が突然落ちるなどの非正常領域は存在しない。したがって、０Ｖから２Ｖの電圧範囲も正規データ電圧として使用することができ、表示できる輝度がＢ２として、Ｂ１より高くなる。実験によれば、Ｂ２の輝度がＢ１の輝度より３０％程度向上したことが確認されている。
【００４１】
一方、本発明の実施例の場合でベンド配向が維持される理由は、図４の（ｉｉｉ）曲線に従う第２インパルシブ電圧値が臨界電圧（Ｖｃ）以上の電圧値を有し、臨界電圧（Ｖｃ）以上の電圧が周期的に液晶に印加されるからであると見なされる。つまり、約５００ｍｓ以上の時間臨界電圧（Ｖｃ）以上の電圧が印加されなければ、ＯＣＢ液晶のベンド配向が損なわれる。したがって、本実施例によるインパルシブ駆動の場合、第２インパルシブ電圧が印加される周期が５００ｍｓ以内であるのが好ましい。一般的に、１つのフレームは１/６０秒の時間が所要されるので、５００ｍｓは３０フレームを表示できる時間である。したがって、第２インパルシブデータは３０フレーム以下の間隔で印加されるのが好ましい。
【００４２】
図７は、本発明の多様な実施例による液晶表示装置の輝度及びベンド配向維持力を示している。
図７では、第２インパルシブデータ（ｇ２）の印加周期による輝度及びベンド配向を表に示している。
第２インパルシブデータ（ｇ２）の印加周期が長くなるほど液晶表示装置の輝度は高くなるが、ＯＣＢ液晶のベンド配向を維持しようという維持力は弱くなる。
【００４３】
以上の実施例で、正規データ電圧とインパルシブデータ電圧（第１及び第２インパルシブデータ電圧）が維持される時間比（以下、‘デューティ比’とする）を多様に設定することができるが、１：１〜４：１であることが好ましい。
以上、本発明の好ましい実施例について詳細に説明したが、本発明の権利範囲はこれに限定されるものではなく、本発明の特許請求の範囲で定義している本発明の基本概念を利用した当業者のいろいろな変形及び改良形態もまた本発明の権利範囲に属する。
【図面の簡単な説明】
【００４４】
【図１】本発明の１つの実施例による液晶表示装置のブロック図である。
【図２】本発明の１つの実施例による液晶表示装置の１つの画素に対する等価回路図である。
【図３】ＯＣＢ（optically  compensated  bend）液晶表示装置の断面図である。
【図４】本発明の１つの実施例による駆動によって液晶表示装置を駆動する際のデータによる階調対輝度のグラフである。
【図５】本発明の１つの実施例による液晶表示装置において、データ印加方式を示す図である。
【図６】本発明の１つの実施例による駆動によって印加する電圧による表示輝度を示したグラフである。
【図７】本発明の多様な実施例による液晶表示装置の輝度及び曲がり配列の維持力を示した図である。
【符号の説明】
【００４５】
３  液晶層
１１、２１  配向膜
１２、２２  偏光板
１３、２３  補償フィルム
１００  液晶表示装置
１９１  画素電極
２００  共通電極表示板
２３０  色フィルター
２７０  共通電極
３００  液晶表示板組立体
３１０  液晶分子
４００  ゲート駆動部
５００  データ駆動部
６００  信号制御部
８００  階調電圧生成部
【図１】
2007034294.tif 000003
【図２】
2007034294.tif 000004
【図３】
2007034294.tif 000005
【図４】
2007034294.tif 000006
【図５】
2007034294.tif 000007
【図６】
2007034294.tif 000008
【図７】
2007034294.tif 000009